(57)【要約】      （修正有）【課題】ノートパソコンでメディアデータの移動・複製に無駄な作業時間を大幅削減、無駄な煩雑な外付から解放するためにノートパソコン本体に２つのドライブが必要。１３インチ以下の小型ノートパソコンにも２つのドライブが装着できるためにスリムツインドライブを提供する。【解決手段】小型ノートパソコンにスリムツインドライブを導入することによって、現在ノートパソコンの型やＯＳやソフト等を変えずノートパソコンのシステム上で自動的に二個メディアドライブと認識され、メディアデータの移動・複製に高効率的作業を行うことができるようにする。【選択図】図１
0003131713.tif 000002
【実用新案登録請求の範囲】
【請求項１】
２枚ディスク同時装着可能なトレイ式スリムツインドライブ。
【請求項２】
２枚ディスク同時装着可能な式スロット式スリムツインドライブ。
【考案の詳細な説明】
【技術分野】
【０００１】本考案は、小型ノートパソコンによる大容量メディアのデータの移動・複製の時間を大幅削減するために、小型ノートパソコンにスリムツインドライブを導入し、無駄な煩雑な外付け・無駄な時間を費やすこと無く、よりコンパクトで小スペースより高効率な作業を行うことができるようにしたものである。
【背景技術】
【０００２】従来は、ノートパソコンに２枚ディスク同時装着可能なドライブはなかった。
【考案の開示】
【考案が解決しようとする課題】
【０００３】ノートパソコンで本体に２つのドライブを導入すれば手軽にメディアのデータを移動・複製することできる。液晶１３インチ以下の小型ノートパソコンにダブルドライブ式を導入する時装着スペースが無いという物理的制限がある。
本考案は上述課題を一気に解消するためになされたものである。
【課題を解決するための手段】
【０００４】液晶１３インチ以下のノートパソコンにスリムツインドライブ方式を採用することによって、メディアデータの移動・複製に一時記憶時間がなく、ＨＤ残量に制限されることなく、煩雑な外付けも必要なく、小型ノートパソコンをよりコンパクト・より高効率的作業を行うことができるようにした。
【考案の効果】
【０００５】スリムツインドライブ式採用することで、液晶１３インチ以下のノートパソコンでもメディアデータの移動・複製に作業時間が大幅に削減され、煩雑な外付けから解放され、小型ノートパソコンをよりコンパクト、より高効率的作業を行うことができる。デザイン的にもスマートで、誰でも手軽にこれらの機能が実現でき、特に大容量データを扱う場合に大きな優位性を発揮する。
【実施例】
【０００６】
【産業上の利用可能性】
【０００７】スリムツインドライブ式を導入することで、小型ノートパソコンの性能アップされ、個人でもメーカーでもこの新部品を求めたいという衝動を起こさせる。メーカーとしては新たなマーケットができ、買い替え需要が発生する。また外付け機器の方法より、トータルとしてコストも安くでき、原材料の節約もでき、将来的に産業廃棄物などの観点から、環境に優しい商品となる。
【図面の簡単な説明】
【０００８】
【図１】本考案のトレイ式スリムツインドライブの図である。
【図２】本考案のスロット式スリムツインドライブの図である。
【符号の説明】
【０００９】
【図１】
0003131713.tif 000003
【図２】
0003131713.tif 000004
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
コンピュータやそれに類する演算装置の入出力機器の一つであるスリムメディアディスク駆動装置（略してドライブ装置）に於いて、上下方向に二つのドライブ装置を有する、トレイ出し入れ方式のトレイ式スリムツインドライブ装置。
【請求項２】
コンピュータやそれに類する演算装置の入出力機器の一つであるスリムメディアディスク駆動装置（略してドライブ装置）に於いて、上下方向に二つのドライブ装置を有する、ディスクをスロットへ出し入れする方式のスロット式スリムツインドライブ装置。
【手続補正２】
【補正対象書類名】明細書
【補正対象項目名】全文
【補正方法】変更
【補正の内容】
【考案の詳細な説明】
【背景技術】
【０００２】従来は、ノートパソコンに二枚のメディアディスクを同時装着可能なドライブ装置はなかった。
【考案が解決しようとする課題】
【０００３】ノートパソコンで本体に二つのメディアディスクドライブを導入すれば手軽にメディアのデータを移動・複製することができる。従来は、液晶１３インチ以下の小型ノートパソコンにダブルドライブ式を導入する場所は、装着スペースが不足という物理的制限があったが、本考案のツイン式スリムドライブ装置によって装着可能となる。
【課題を解決するための手段】
【０００４】液晶１３インチ以下のノートパソコンにスリムツインドライブ方式を採用することによって、メディアデータの移動・複製に一時記憶時間がなく、ハードディスク残量に制限されることなく、煩雑な外付けも必要なく、小型ノートパソコンをよりコンパクト、より高効率的作業を行うことができるようにした。提案のハードウェアは、従来のシングルドライブ装置の機械的構造（方式）及び電気回路（方式）と同様技術にて、容易にツイン式が構成される。
【図面の簡単な説明】
【０００８】
【図１】従来のトレイ式スリムドライブ構成図である。トレイ式スリムドライブ１は，電気回路２を有し、パソコンへ接続する端子３を有し、ディスクを読み書きするトレイ装置４を有し、電気信号を伝達するフィルムケーブル５を有し、トレイ式スリムドライブ１の内部にて、電気回路２は電気信号を伝達するフィルムケーブル５を通して、ディスクを読み書きトレイ装置４と接続され、電気回路２にあるパソコンへ接続する端子３を通して、パソコン側から制御され、パソコンの入出力機器の一つとして、その機能を発揮する。
【図２】本考案のトレイ式スリムツインドライブ構成図である。トレイ式スリムツインドライブ６は，電気回路７を有し、パソコンへ接続する端子８を有し、ディスクを読み書きするトレイ装置９を有し、電気信号を伝達するフィルムケーブル１０を有し、ディスクを読み書きするトレイ装置１１を有し、電気信号を伝達するフィルムケーブル１２を有し、トレイ式スリムツインドライブ６の内部にて、電気回路７は電気信号を伝達するフィルムケーブル１０を通して、ディスクを読み書きトレイ装置９と接続され、同様に電気回路７は電気信号を伝達するフィルムケーブル１２を通して、ディスクを読み書きトレイ装置１１と接続され、電気回路７にあるパソコンへ接続する端子８を通して、パソコン側からディスクを読み書きトレイ装置９と１１を制御され、パソコンの入出力機器の一つ二入出力装置として、その機能を発揮する。
【図３】従来のスロット式スリムドライブ構成図である。スロット式スリムドライブ１３は，パソコンへ接続する端子１４を有し、電気回路１５を有し、ディスクを受け入れるスロット装置１６を有し、ディスクを読み書きするドライブ装置１７を有し、電気信号を伝達するフィルムケーブル１８を有し、スロット式スリムドライブの上部カバー（蓋）を有し、スロット式スリムドライブ１３の内部にて、電気回路１５は電気信号を伝達するフィルムケーブル１８を通してディスクを読み書き装置１７と接続され、電気回路１５にあるパソコンへ接続する端子１４を通して、パソコン側から制御され、パソコンの入出力機器の一つとして、その機能を発揮する。
【図４】本考案のスロット式スリムツインドライブ構成図である。スロット式スリムツインドライブ２０の底座にはパソコンへ接続する端子２１を有し、電気回路２２を有し、ディスクを受け入れるスロット装置２３を有し、ディスクを読み書きするドライブ装置２４を有し、電気信号を伝達するフィルムケーブル２５を有し。スロット式スリムツインドライブの上部カバー（蓋）２６に、電気回路２７を有し、ディスクを受け入れるスロット装置２８を有し、ディスクを読み書きするドライブ装置２９を有し、電気信号を伝達するフィルムケーブル３０を有し。スロット式スリムツインドライブ２０の底座にある電気回路２２とスロット式スリムツインドライブの上部カバー（蓋）２６にある電気回路２７を電気信号を伝達するフィルムケーブル３１でつないでおり。スロット式スリムツインドライブ２０の内部にて、電気回路２２は電気信号を伝達するフィルムケーブル２５を通して、ディスクを読み書きトレイ装置２４と接続され、同様に電気回路２７は電気信号を伝達するフィルムケーブル３０を通して、ディスクを読み書き装置２９と接続され、電気回路２２にあるパソコンへ接続する端子２１を通して、パソコン側からスロット式スリムツインドライブ２０の底座のディスクを読み書きトレイ装置２４を制御され、又は電気信号を伝達するフィルムケーブル３１を通してしスロット式スリムツインドライブの上部カバー（蓋）にあるディスクを読み書き装置２９も制御され、パソコンの入出力機器の一つ二入出力装置として、その機能を発揮する。
【図５】本考案のトレイ式スリムツインドライブ外見イメージ図である。
【図６】本考案のスロット式スリムツインドライブ外見イメージ図である。
【符号の説明】
【０００９】  １は市販のトレイ式スリムドライブ本体
２はドライブ内の電気回路（基板）
３はパソコンへの接続端子
４はディスクを受けるトレイ
５は電気信号を伝達するフィルムケーブル
６は提案の二枚のメディアディスクが同時装着可能なトレイ式スリムツインドライブ本体
７はドライブ内の電気回路（基板）
８はパソコンへの接続端子
９はディスクを受けるトレイ
１０は電気信号を伝達するフィルムケーブル
１１はディスクを受けるトレイ
１２は電気信号を伝達するフィルムケーブル
１３市販のスロット式スリムドライブ本体
１４はパソコンへの接続端子
１５はドライブ内の電気回路（基板）
１６はディスクを受けるスロット装置
１７はディスクを読み書き装置
１８は電気信号を伝達するフィルムケーブル
１９市販のスロット式スリムドライブの上部カバー（蓋）
２０は提案の二枚のメディアディスクが同時装着可能なスロット式スリムツインドライブ本体
２１はパソコンへの接続端子
２２はドライブ内の電気回路（基板）
２３はディスクを受けるスロット装置
２４はディスクを読み書き装置
２５は電気信号を伝達するフィルムケーブル
２６提案のスロット式スリムツインドライブの上部カバー（蓋）
２７はドライブ内の電気回路（基板）
２８はディスクを受けるスロット装置
２９はディスクを読み書き装置
３０は電気信号を伝達するフィルムケーブル
３１は電気信号を伝達するフィルムケーブル
３２は提案の二枚のメディアディスクが同時装着可能なトレイ式スリムツインドライブ本体のイメージ
３３は提案の二枚のメディアディスクが同時装着可能なスロット式スリムツインドライブ本体のイメージ
【手続補正３】
【補正対象書類名】図面
【補正対象項目名】全図
【補正方法】変更
【補正の内容】
【図１】
0003131713.tif 000005
【図２】
0003131713.tif 000006
【図３】
0003131713.tif 000007
【図４】
0003131713.tif 000008
【図５】
0003131713.tif 000009
【図６】
0003131713.tif 000010